【手続補正書】
【提出日】平成28年3月4日(2016.3.4)
【手続補正１】
【補正対象書類名】特許請求の範囲
【補正対象項目名】全文
【補正方法】変更
【補正の内容】
【特許請求の範囲】
【請求項１】
水素発生器のための燃料ユニットを生成するための方法であって、前記方法は、
ａ．シートの形態で基材を提供するステップと、
ｂ．加熱された場合に水素ガスを放出する水素含有材料を含む燃料を提供するステップと、
ｃ．前記燃料の複数のペレットを前記基材上に配置することにより、１つまたはそれよりも多くの燃料シートを形成するステップであって、各ペレットは、１つまたはそれよりも多くの側面を有し、隣接するペレットの間に隙間が配置されている、ステップと、
ｄ．前記隣接するペレットの隣接する側面が本質的に平行な平面にあるように、第１の燃料シート部分および第２の燃料シート部分のうちの少なくとも１つを移動させることによりペレットを互いに隣接して位置付けることによって、前記１つまたはそれよりも多くの燃料シートから非円筒形燃料シートアセンブリを形成するステップと、
ｅ．前記燃料シートアセンブリのうちの１つまたはそれよりも多くから非円筒形燃料ユニットを生成するステップと
を含む、方法。
【請求項２】
前記第１の燃料シート部分および前記第２の燃料シート部分を移動させることは、前記第１の燃料シート部分上のペレットが、前記第２のシート部分上のペレットに面するように、前記第１の燃料シート部分および前記第２の燃料シート部分を配置することを含む、請求項１に記載の方法。
【請求項３】
前記第１の燃料シート部分上の少なくとも１つのペレットは、前記第２の燃料シート部分上の２つの隣接するペレットの間の隙間に位置付けられる、請求項２に記載の方法。
【請求項４】
前記第１の燃料シート部分および前記第２の燃料シート部分を移動させることは、前記基材を屈曲させることにより、２つの隣接するペレットの間に角度付きまたは湾曲した区画を形成することを含む、請求項１に記載の方法。
【請求項５】
組立の前に、前記隣接するペレットの隣接する側面は、前記基材が平面に配置される場合、平行である、請求項３に記載の方法。
【請求項６】
組立の前に、前記隣接するペレットの隣接する側面は、前記基材が平面に配置される場合、平行ではない、請求項１に記載の方法。
【請求項７】
前記方法は、組み立てられた燃料シートの周りにパッケージを形成することをさらに含む、請求項１に記載の方法。
【請求項８】
前記１つまたはそれよりも多くの燃料シートは、隣接するペレットの間に配置されている断熱材とともに組み立てられる、請求項１に記載の方法。
【請求項９】
前記ペレットのうちの１つまたはそれよりも多くは、前記基材シートの両面上に配置される、請求項１に記載の方法。
【請求項１０】
前記燃料ユニットは、携帯式である、請求項１に記載の方法。
【請求項１１】
水素ガスを生成する方法であって、前記方法は、
ａ．シートの形態で基材を提供するステップと、
ｂ．加熱された場合に水素ガスを放出する水素含有材料を含む燃料を提供するステップと、
ｃ．前記燃料の複数のペレットを前記基材上に配置することによって、燃料シートを形成するステップであって、各ペレットは、１つまたはそれよりも多くの側面を有し、隣接するペレットの間に隙間が配置されている、ステップと、
ｄ．前記隣接するペレットの隣接する側面が本質的に平行な平面にあるように、第１の燃料シート部分および第２の燃料シート部分のうちの少なくとも１つを移動させることによりペレットを互いに隣接して位置付けることによって、前記燃料シートのうちの１つまたはそれよりも多くから非円筒形燃料シートアセンブリを形成するステップと、
ｅ．前記非円筒形燃料シートアセンブリのうちの１つまたはそれよりも多くから非円筒形燃料ユニットを生成するステップと、
ｆ．前記燃料ユニットを水素発生器に配置するステップと、
ｇ．ペレットを選択的に加熱することにより、前記ペレットにおける前記燃料から水素ガスを放出させるステップと
を含む、方法。
【請求項１２】
前記加熱することは、複数の加熱要素によって行なわれる、請求項１１に記載の方法。
【請求項１３】
前記複数の加熱要素の各々は、前記水素発生器および前記燃料ユニットのうちの１つに配置され、各加熱要素は、前記ペレットのうちの少なくとも１つを加熱するように配置される、請求項１２に記載の方法。
【請求項１４】
前記方法はさらに、隣接するペレットの隣接する表面の間にヒータ要素を配置することを含む、請求項１２に記載の方法。
【請求項１５】
前記方法は、隣接するペレットの隣接する表面の間に熱伝導体を配置することにより、前記加熱要素から前記ペレットに熱を伝導することをさらに含む、請求項１１に記載の方法。
【請求項１６】
前記方法は、使用済み燃料ユニットを前記水素発生器から取り除くことと、未使用燃料ユニットを前記水素発生器に配置することとをさらに含む、請求項１１に記載の方法。
【請求項１７】
水素発生器のための燃料ユニットであって、前記燃料ユニットは、
ａ．シートの形態で基材を提供するステップと、
ｂ．加熱された場合に水素ガスを放出する水素含有材料を含む燃料を提供するステップと、
ｃ．前記燃料の複数のペレットを前記基材上に配置することによって燃料シートを形成するステップであって、各ペレットは、１つまたはそれよりも多くの側面を有し、隣接するペレットの間に隙間が配置されている、ステップと、
ｄ．前記隣接するペレットの隣接する側面が本質的に平行な平面にあるように、第１の燃料シート部分および第２の燃料シート部分を移動させることにより隣接するペレットを位置付けることによって、前記燃料シートのうちの１つまたはそれよりも多くから非円筒形燃料シートアセンブリを形成するステップと、
ｅ．前記燃料シートアセンブリのうちの１つまたはそれよりも多くから非円筒形燃料ユニットを生成するステップと
を含む方法によって作製される、燃料ユニット。
【請求項１８】
少なくとも１つのペレットは、２つの隣接するペレットの間の隙間に位置付けられる、請求項１１に記載の方法。
【手続補正２】
【補正対象書類名】明細書
【補正対象項目名】００１４
【補正方法】変更
【補正の内容】
【００１４】
本発明の別の局面において、上記で説明されているような燃料電池バッテリおよび水素発生器を含む燃料電池システムが提供される。ある実施形態において、燃料電池システムは、携帯式である。
本願明細書は、例えば、以下の項目も提供する。
（項目１）
水素発生器のための燃料ユニットを生成するための方法であって、前記方法は、
ａ．シートの形態で基材を提供するステップと、
ｂ．加熱された場合に水素ガスを放出する水素含有材料を含む燃料を提供するステップと、
ｃ．前記燃料の複数のペレットを前記基材上に配置することにより、１つまたはそれよりも多くの燃料シートを形成するステップであって、各ペレットは、１つまたはそれよりも多くの側面を有し、隣接するペレットの間に隙間が配置されている、ステップと、
ｄ．前記隣接するペレットの隣接する側面が本質的に平行な平面にあるように、第１の燃料シート部分および第２の燃料シート部分のうちの少なくとも１つを移動させることによりペレットを互いに隣接して位置付けることによって、前記１つまたはそれよりも多くの燃料シートから非円筒形燃料シートアセンブリを形成するステップと、
ｅ．前記燃料シートアセンブリのうちの１つまたはそれよりも多くから非円筒形燃料ユニットを生成するステップと
を含む方法。
（項目２）
前記第１の燃料シート部分および前記第２の燃料シート部分を移動させるステップは、前記第１の燃料シート部分上のペレットが、前記第２のシート部分上のペレットに面するように、前記第１の燃料シート部分および前記第２の燃料シート部分を配置することを含む、項目１に記載の方法。
（項目３）
前記第１の燃料シート部分上の少なくとも１つのペレットは、前記第２の燃料シート部分上の２つの隣接するペレットの間の隙間に位置付けられる、項目２に記載の方法。
（項目４）
前記第１の燃料シート部分および前記第２の燃料シート部分を移動させるステップは、前記基材を屈曲させることにより、２つの隣接するペレットの間に角度付きまたは湾曲した区画を形成することを含む、前記項目のいずれかに記載の方法。
（項目５）
組立の前に、前記隣接するペレットの隣接する側面は、前記基材が平面に配置される場合、平行である、前記項目のいずれかに記載の方法。
（項目６）
組立の前に、前記隣接するペレットの隣接する側面は、前記基材が平面に配置される場合、平行ではない、項目１から４のいずれかに記載の方法。
（項目７）
前記燃料ユニットは、角柱状の燃料ユニットである、前記項目のいずれかに記載の方法。
（項目８）
前記方法は、前記組み立てられた燃料シートの周りにパッケージを形成することをさらに含む、前記項目のいずれかに記載の方法。
（項目９）
前記１つまたはそれよりも多くの燃料シートは、隣接するペレットの間に配置されている断熱材とともに組み立てられる、前記項目のいずれかに記載の方法。
（項目１０）
前記ペレットのうちの１つまたはそれよりも多くは、前記基材シートの両面上に配置される、前記項目のいずれかに記載の方法。
（項目１１）
前記燃料ユニットは、携帯式である、前記項目のいずれかに記載の方法。
（項目１２）
水素ガスを生成する方法であって、前記方法は、
ａ．シートの形態で基材を提供するステップと、
ｂ．加熱された場合に水素ガスを放出する水素含有材料を含む燃料を提供するステップと、
ｃ．前記燃料の複数のペレットを前記基材上に配置することによって、燃料シートを形成するステップであって、各ペレットは、１つまたはそれよりも多くの側面を有し、隣接するペレットの間に隙間が配置されている、ステップと、
ｄ．前記隣接するペレットの隣接する側面が本質的に平行な平面にあるように、第１の燃料シート部分および第２の燃料シート部分のうちの少なくとも１つを移動させることによりペレットを互いに隣接して位置付けることによって、前記燃料シートのうちの１つまたはそれよりも多くから非円筒形燃料シートアセンブリを形成するステップと、
ｅ．前記非円筒形燃料シートアセンブリのうちの１つまたはそれよりも多くから非円筒形燃料ユニットを生成するステップと、
ｆ．前記燃料ユニットを水素発生器に配置するステップと、
ｇ．ペレットを選択的に加熱することにより、前記ペレットにおける前記燃料から水素ガスを放出させるステップと
を含む方法。
（項目１３）
前記加熱は、複数の加熱要素によって行なわれる、項目１２に記載の方法。
（項目１４）
前記複数の加熱要素の各々は、前記燃料ユニットに配置され、各加熱要素は、前記ペレットのうちの少なくとも１つを加熱するように配置される、項目１３に記載の方法。
（項目１５）
前記方法はさらに、隣接するペレットの隣接する表面の間に前記ヒータ要素を配置することを含む、項目１３または１４に記載の方法。
（項目１６）
前記複数の加熱要素の各々は、前記水素発生器に配置される、項目１３または１４に記載の方法。
（項目１７）
前記方法は、隣接するペレットの隣接する表面の間に熱伝導体を配置することにより、前記加熱要素から前記ペレットに熱を伝導することをさらに含む、項目１２〜１６のいずれかに記載の方法。
（項目１８）
前記方法は、使用済み燃料ユニットを前記水素発生器から取り除くことと、未使用燃料ユニットを前記水素発生器に配置することとをさらに含む、項目１２〜１７のいずれかに記載の方法。
（項目１９）
水素発生器のための燃料ユニットであり、前記燃料ユニットは、
ａ．シートの形態で基材を提供するステップと、
ｂ．加熱された場合に水素ガスを放出する水素含有材料を含む燃料を提供するステップと、
ｃ．前記燃料の複数のペレットを前記基材上に配置することによって燃料シートを形成するステップであって、各ペレットは、１つまたはそれよりも多くの側面を有し、隣接するペレットの間に隙間が配置されている、ステップと、
ｄ．前記隣接するペレットの隣接する側面が本質的に平行な平面にあるように、第１の燃料シート部分および第２の燃料シート部分を移動させることにより隣接するペレットを位置付けることによって、前記燃料シートのうちの１つまたはそれよりも多くから非円筒形燃料シートアセンブリを形成するステップと、
ｅ．前記燃料シートアセンブリのうちの１つまたはそれよりも多くから非円筒形燃料ユニットを生成するステップと
を含む方法によって作製される、燃料ユニット。